(57)【特許請求の範囲】
【請求項１】
光ファイバーパネルとネットワーク機器とを光ファイバーコードを介して互いに接続し、前記光ファイバーコードの余剰部分を巻き取るための光ファイバーストレージパネルであり、
一対のリールがラックの水平面に対して平行で、かつ、前記ラックの前後方向に設けられているとともに、前記前後２箇所に点対称に設けられた固定手段を備えているスプールと、
複数個の前記スプールが前記ラックに左右対称になるように配置されているとともに、前記固定手段によって固定されているシャーシと、
前記光ファイバーパネルと前記ネットワーク機器との接続距離を前記スプールのリールに巻回して調整する光ファイバーコードと、
から少なくとも構成されていることを特徴とする光ファイバーストレージパネル。
【請求項２】
前記光ファイバーコードを巻回する前記リールの直径は、少なくとも３ｃｍ以上であることを特徴とする請求項１に記載された光ファイバーストレージパネル。
【請求項３】
少なくとも前記スプールの前と後に突出して設けられた所定の幅を有するガイドが設けられていることを特徴とする請求項１または請求項２に記載された光ファイバーストレージパネル。
【請求項４】
前記スプールの手前または奥に配置されたリールに折り曲げ部を周接するように引っ掛け、前記引っ掛けられた部分以外を纏めて、前記スプールの右側の出口から左側方向に引き出した第１の光ファイバーコードと、
前記スプールの手前または奥に配置されたリールに折り曲げ部を周接するように引っ掛け、前記引っ掛けられた部分以外を纏めて、前記スプールの左側の出口から右側方向に引き出した第２の光ファイバーコードと、
から少なくとも構成されていることを特徴とする請求項１から請求項３のいずれか１項に記載された光ファイバーストレージパネル。
【請求項５】
前記スプールの奥に配置されたリールに折り曲げ部を周接するように引っ掛け、前記引っ掛けられた部分以外を纏めて、平面において、右回転で一対のリールの周囲を少なくとも一回巻回し、スプールの右側の出口から左方向に引き出した第１の光ファイバーコードと、
前記スプールの奥に配置されたリールに折り曲げ部を周接するように引っ掛け、前記引っ掛けられた部分以外を纏めて、平面において、左回転で一対のリールの周囲を少なくとも一回巻回し、スプールの左側の出口から右方向に引き出した第２の光ファイバーコードと、
から少なくとも構成されていることを特徴とする請求項１から請求項３のいずれか１項に記載された光ファイバーストレージパネル。
【請求項６】
前記ラックにおいて、光ファイバーコードは、光ファイバーパネルとネットワーク機器の間で中継されていることを特徴とする請求項１から請求項５のいずれか１項に記載された光ファイバーストレージパネル。
【請求項７】
前記ラックにおいて、光ファイバーコードは、光ファイバーパネルから光ファイバーストレージパネルを介して、前記光ファイバーストレージパネルと光ファイバーパネルとの間にあるネットワーク機器で終端されていることを特徴とする請求項１から請求項５のいずれか１項に記載された光ファイバーストレージパネル。
【発明の詳細な説明】
【技術分野】
【０００１】
本発明は、光ファイバーコードを介して光ファイバーパネルとネットワーク機器とを互いに接続するラックにおいて、光ファイバーコードの余剰部分による伝送損失を少なくするための光ファイバーストレージパネルに関するものである。前記ネットワーク機器は、たとえば、スイッチ等から構成され、また、前記光ファイバーパネルは、光ファイバーコードを終端するものである。
【背景技術】
【０００２】
ビル内に多数のコンピュータが接続されたネットワークを構築する際に、光ファイバーパネルと前記ネットワーク機器とを光ファイバーコードによって接続するラックが必要である。前記光ファイバーコードは、両端部が特殊加工されているため、長さを調整するために切断すると、特殊な接続に時間がかかるだけでなく、伝送損失が増大してしまうという問題がある。そこで、従来の光ファイバーコードによる接続は、伝送損失を無くすことなく、短時間で工事ができるように、長さが予め決められた既製の光ファイバーコードを使用するため、余剰部分が生じ、この部分における伝送損失が発生した。
【０００３】
前記光ファイバーコードにおける伝送損失を無くすために、従来の余剰光ファイバーコードストレージは、たとえば、特開平１０−３２２０５０号公報に記載されているように、光ファイバーコード収容棚に光ファイバーコードをクランプすることにより固定し、枢支ピンを軸として回転させてラック内に収容していた。
【０００４】
図４は従来の光ファイバーコードによりネットワーク機器を接続した例を説明するための図である。図４に示すラック４１において、光ファイバーコード４３は、光ファイバーパネル４２とネットワーク機器４５を接続している。前記光ファイバーコード４３は、複数本からなり、図４に示すように、余剰光ファイバーコード４６、４７、４８がある。前記余剰光ファイバーコード４６、４７、４８は、余剰をなくすように配線することが構造上困難であるため、前記公開公報のような光ファイバーコード収容棚を設けていた。
【先行技術文献】
【特許文献】
【０００５】
【特許文献１】特開平１０−３２２０５０号公報
【発明の概要】
【発明が解決しようとする課題】
【０００６】
前記公開公報の光ファイバーコード収容構造は、光ファイバーコードの巻回、クランプ等の処理に時間がかかるという問題を有する。また、図４に示す光ファイバーパネルは、光ファイバーコードの途中に、余剰部分４６、４７、４８があり、この部分において、大きな伝送損失を発生するという問題があった。
【０００７】
以上のような課題を解決するために、本発明は、ラック内で光ファイバーパネルとネットワーク機器を接続する光ファイバーコードの余剰部分を整理して収納することができる光ファイバーストレージパネルを提供することを目的とする。本発明は、ラック内に敷設された光ファイバーコードが整然と配置できるだけでなく、伝送損失を少なくすることができる光ファイバーストレージパネルを提供することを目的とする。
【課題を解決するための手段】
【０００８】
（第１発明）
第１発明の光ファイバーストレージパネルは、光ファイバーパネルとネットワーク機器とを光ファイバーコードを介して互いに接続し、前記光ファイバーコードの余剰部分を巻き取るためのものであり、一対のリールが前記ラックの水平面に対して平行で、かつ、前記ラックの前後方向に設けられているとともに、前記前後２箇所に点対称に設けられた固定手段を備えているスプールと、複数個の前記スプールが前記ラックに左右対称になるように配置されているとともに、前記固定手段によって固定されているシャーシと、前記光ファイバーパネルと前記ネットワーク機器との接続距離を前記スプールのリールに巻回して調整する光ファイバーコードと、から少なくとも構成されていることを特徴とする。
【０００９】
（第２発明）
第２発明の光ファイバーストレージパネルにおいて、前記光ファイバーコードを巻回する前記リールの直径は、少なくとも３ｃｍ以上であることを特徴とする。
【００１０】
（第３発明）
第３発明の光ファイバーストレージパネルは、少なくとも前記スプールの前と後に突出して設けられた所定の幅を有するガイドが設けられていることを特徴とする。
【００１１】
（第４発明）
第４発明の光ファイバーストレージパネルは、前記スプールの手前または奥に配置されたリールに折り曲げ部を周接するように引っ掛け、前記引っ掛けられた部分以外を纏めて、前記スプールの右側の出口から左側方向に引き出した第１の光ファイバーコードと、前記スプールの手前または奥に配置されたリールに折り曲げ部を周接するように引っ掛け、前記引っ掛けられた部分以外を纏めて、前記スプールの左側の出口から右側方向に引き出した第２の光ファイバーコードとから少なくとも構成されていることを特徴とする。
【００１２】
（第５発明）
第５発明の光ファイバーストレージパネルは、前記スプールの奥に配置されたリールに折り曲げ部を周接するように引っ掛け、前記引っ掛けられた部分以外を纏めて、平面において、右回転で一対のリールの周囲を少なくとも一回巻回し、スプールの右側の出口から左方向に引き出した第１の光ファイバーコードと、前記スプールの奥に配置されたリールに折り曲げ部を周接するように引っ掛け、前記引っ掛けられた部分以外を纏めて、平面において、左回転で一対のリールの周囲を少なくとも一回巻回し、スプールの左側の出口から右方向に引き出した第２の光ファイバーコードとから少なくとも構成されていることを特徴とする。
【００１３】
（第６発明）
第６発明の光ファイバーストレージパネルにおけるラックにおいて、光ファイバーコードは、光ファイバーパネルとネットワーク機器の間で中継されていることを特徴とする。
【００１４】
（第７発明）
第７発明の光ファイバーストレージパネルにおけるラックにおいて、光ファイバーコードは、光ファイバーパネルから光ファイバーストレージパネルを介して、前記光ファイバーストレージパネルと光ファイバーパネルとの間にあるネットワーク機器で終端されていることを特徴とする。
【発明の効果】
【００１５】
本発明によれば、ラックに設置した光ファイバーパネルとネットワーク機器を接続する光ファイバーコードの伝送損失を無くすことができる光ファイバーストレージパネルである。
【００１６】
本発明によれば、光ファイバーコードが光ファイバーストレージパネルに整然と収納できるため、光ファイバーコードの伝送損失がなく、見た目が綺麗になっている。前記光ファイバーストレージパネルは、光ファイバーコードに伝送損失がないように巻回されているとともに、ラックに整然と収納されているため、保守点検を速やかに行うことができる。
【００１７】
本発明によれば、スプールの構造を工夫することにより、余剰光ファイバーコードに伝送損失が発生するような弛みがなく、整然と配置することがでる。また、整然と配置された余剰光ファイバーコードは、敷設工事、保守作業等が容易であり、短時間に行うことができる。
【図面の簡単な説明】
【００１８】
【図１】（イ）および（ロ）は本発明の光ファイバーストレージパネルを備えているラックを説明するための図である。（実施例１）
【図２】本発明の光ファイバーストレージパネルにおけるスプールの構造を説明するための図である。
【図３】本発明の光ファイバーストレージパネルに光ファイバーコードを巻回した例を説明するための図である。
【図４】従来の光ファイバーコードによりネットワーク機器を接続した例を説明するための図である。
【発明を実施するための形態】
【００１９】
（第１発明）
第１発明の光ファイバーストレージパネルは、光ファイバーパネルとネットワーク機器とを光ファイバーコードを介して互いに接続する際に、光ファイバーコードの余剰部分による伝送損失を少なくするためのものである。前記光ファイバーストレージパネルは、光ファイバーコードの光損失をできるだけ少なくするように収納するもので、一対のリールを有するスプールと、前記スプールを固定するシャーシと、前記リールに巻回する前記光ファイバーコードとから構成されている。前記スプールは、ラックの水平面対して平行で、かつ、前記ラックの前後方向に設けられている。また、複数の前記スプールは、前記ラックに左右対称になるように配置されている。
【００２０】
前記シャーシは、前記複数個のスプールが前記ラックに対して少なくとも左右対称になるように配置されていることが望ましい。前記シャーシは、前記ラックの水平面に対して左右対称であれば、高さ方向に複数段とすることができる。前記スプールの固定手段は、前記スプールの２箇所において、点対称に設けられ、前記シャーシを固定する。前記スプールは、前記固定手段が点対称に設けられているため、光ファイバーコードを水平方向に回転し、１８０度の位置で、必ずシャーシに固定することができる。
【００２１】
前記ネットワーク機器と接続距離を調整する余剰光ファイバーコードは、二つ折りにしたほぼ中間点を開いて、リールの周りに周接させて巻回し、最後に両端を一体に纏めて引き出される。前記余剰光ファイバーコードは、前記リールの径を大きめに設定しておくことにより、狭い二つ折りとなることがないため、前記二つ折りにした部分で伝送損失が発生しない。
【００２２】
（第２発明）
第２発明の光ファイバーストレージパネルは、前記余剰光ファイバーコードを巻回する前記リールの直径を少なくとも３ｃｍ以上にしている。しかし、前記余剰光ファイバーコードは、前記リールの巻回部分またはシャーシの部分に弛み等ができる場合が多いため、好ましくは６ｃｍ以上にすることが望ましい。前記リールの直径は、３ｃｍとする場合、前記ネットワーク機器の接続数が少なく、多少の伝送損失を許容できるときに限る。
【００２３】
（第３発明）
第３発明の光ファイバーストレージパネルにおけるスプールは、少なくとも前記スプールの前後、あるいは左右に、水平基板から上方に突出して対照的にガイドが設けられている。前記ガイドは、前記余剰光ファイバーコードを前記リールに巻回した後の部分を極端に曲げることなく、緩やかに曲げることができるだけでなく、前記余剰光ファイバーコードを正面から見て左方向または右方向に振り分けることができるように、所定の幅を有し、前記スプールから一体に上方に突出するような形状に構成されている。
【００２４】
（第４発明）
第４発明の光ファイバーストレージパネルは、余剰光ファイバーコードがリールに巻かれた結果の構成を規定している。第１の余剰光ファイバーコードは、ほぼ中間部に二つ折りとなる部分を広げて、手前または奥に配置された前記リールに折り曲げ部を広げて、周接するように引っ掛ける。前記折り曲げ部は、前記引っ掛けられた両端を一体に纏められる。前記一体に纏められた前記第１の余剰光ファイバーコードは、スプールの右側の出口から外に出て、左側方向に引き出されている。
【００２５】
同様に、第２の余剰光ファイバーコードは、手前または奥に配置された前記と対照位置にあるリールに折り曲げ部を広げて、周接するように引っ掛ける。前記折り曲げ部は、前記引っ掛けられた両端を一体に纏められる。前記纏められた前記第２の余剰光ファイバーコードは、スプールの左側の出口から外に出て、右側方向に引き出している。前記第１および第２の余剰光ファイバーコードは、左右に引き出されるような構造となっているため、取り付け作業等によって、伝送損失を少なくするような配置にすることができるだけでなく、見た目が整然となり、保守も容易にできる。前記余剰光ファイバーコードは、説明を容易にするために「第１および第２」を付けたものであり、数に制限がなく、奇数個とすることも可能である。
【００２６】
（第５発明）
第５発明の余剰光ファイバーコードは、巻き始めの構成が第４発明と同じである。第４発明と異なる所は、少なくとも１回以上スプールに巻回し、余剰光ファイバーコードの長さを調整している。第１および第２の余剰光ファイバーコードは、たとえば、複数回リールに巻回しても、前記スプールの前と後に突出して対照的に設けられたフランジにより、整然と巻回し、曲げられた部分の直径が６ｍｍ以上にすることが容易にできる。
【００２７】
（第６発明）
第６発明の光ファイバーコードは、前記ラックにおいて、光ファイバーパネルとネットワーク機器の間で中継されている。すなわち、本発明の光ファイバーストレージパネルは、前記光ファイバーパネルトとネットワーク機器との間に配置され、光ファイバーコードの余剰部分が整理された状態で巻回されている。
【００２８】
（第７発明）
第７発明の光ファイバーコードは、前記ラックにおいて、光ファイバーパネルと光ファイバーストレージパネルとの間にネットワーク機器が配置されている。すなわち、本発明の光ファイバーパネルから導出された光ファイバーコードは、前記ラックの下部にある光ファイバーストレージパネルで、余剰光ファイバーコードを巻回し、最後に前記光ファイバーストレージパネルより上部に設置されたネットワーク機器で終端されている。第６発明および第７発明は、余剰光ファイバーコードに伝送損失を与えるような部分を無くし、見た目が綺麗に整理された状態で巻回されている。
【実施例１】
【００２９】
図１（イ）および（ロ）は本発明の光ファイバーストレージパネルを備えているラックを説明するための図である。図１（イ）において、ラック１１は、光ファイバーストレージパネル１４を介して、光ファイバーパネル１２とネットワーク機器１５を光ファイバーコード１３、１３′によって接続している。光ファイバーストレージパネル１４は、前記光ファイバーコード１３、１３′の余剰部分を整然と収納できる構造になっている。前記光ファイバーコード１３、１３′は、端末が特殊加工されているため、前記光ファイバーパネル１２およびネットワーク機器１５の間を接続する際に、余剰部分を勝手に調整すると伝送損失が増加するという問題を生じる。
【００３０】
前記光ファイバーストレージパネル１４は、光ファイバーパネル１２とネットワーク機器１５の間に設置されている。前記光ファイバーストレージパネル１４は、前記光ファイバーパネル１２とネットワーク機器１５を接続する際に生じる余剰光ファイバーコードを後述のように伝送損失が発生しないように巻回できるような構造になっている。
【００３１】
図１（ロ）において、光ファイバーパネル１２は、光ファイバーストレージパネル１４に接続した後、前記光ファイバーストレージ１４の上部に配置されているネットワーク機器１５に接続されしている。前記各接続は、光ファイバーコード１３１、１３１′によって接続されている。図１（ロ）に示す光ファイバーストレージパネル１４は、前記光ファイバーパネル１２からネットワーク機器１５に接続される余剰光ファイバーコードが後述のように巻回されるため、光ファイバーコードを整然と配置するだけでなく、この間で発生する伝送損失を無くすことができる。
【００３２】
図１における光ファイバーストレージパネル１４は、スプール２１（図２参照）が、たとえば、上下に４段、左右に２組づつ、合計１６個が配置されている例である。図２は本発明の光ファイバーストレージパネルにおけるスプールの構造を説明するための図である。図２において、前記スプール２１は、一本の光ファイバーコードの余剰部分を巻回するためのものである。前記スプール２１は、水平基板２２の上に一対のリール２３、２４がラック１１の前後方向に設けられている。
【００３３】
前記水平基板２２上に設けられた一対のリール２３、２４は、光ファイバーパネルとネットワーク機器とを接続する際の距離を調整するために、余剰光ファイバーコード（図１の１３、１３′、１３１、１３１′）を巻く巻き芯２３１、２４１と、フランジ２３２、２４２とから構成されている。前記スプール２１は、一対のリール２３、２４が図１に示すラック１１に対して水平で、かつ、前後方向に配置されている。
【００３４】
前記スプール２１は、前後方向に起立された前後ガイド２６、２６′と、側部ガイド２７、２７′と、コーナーガイド２８−１、２８−２、２８−３、２８−４とが設けられ、前記余剰光ファイバコードが整理された状態で、所望の方向に引き出されるとともに、伝送損失が発生しないように巻回される。
【００３５】
図３は本発明の光ファイバーストレージパネルに光ファイバーコードを巻回した例を説明するための図である。図３において、前記シャーシ３１は、前記複数個のスプールが前記ラック１１の水平面に対して平行で、かつ、前記ラックの前後方向になるように配置されている。また、前記シャーシ３１は、引き出し把手３２、３２′が設けられている。前記シャーシ３１は、前記ラック１１の水平面に対して左右対称であれば、高さ方向に複数段とすることができる。前記スプール２１の固定手段２５、２５′は、前記スプール２１の面に対して、点対称に設けられ、前記シャーシ３１にワンタッチによって固定できる構造になっている。前記スプール２１は、余剰光ファイバーコードを巻回しながら水平に１８０度回転した位置で、必ずシャーシ３１に固定することができる。
【００３６】
前記シャーシ３１は、たとえば、４個のスプール２１−１、２１−２、２１−３、２１−４が水平に着脱自在に設けられている。また、前記リール２３−１および２４−１、リール２３−２、２４−２、リール２３−３、２４−３、リール２３−４、２４−４は、スプール２１−１、２１−２、２１−３、２１−４にそれぞれ図３に示すように設けられている。図３において、たとえば、図の右から来た前記ネットワーク機器と接続距離を調整する余剰光ファイバーコード２８−１は、二つ折りにしたほぼ中間点をスプール２１−１のリール２３−１に周接させて巻回し、最後に両端を一体に纏めにして、図示のように、リール２４−１に引っ掛け、所定回数（余剰部がなくなるまで）巻回した後に前後ガイド２６の左側から右側に引き出される。
【００３７】
図３におけるリール２３−２および２４−２は、余剰光ファイバーコードを巻回した後、前記同様に、前後ガイド２６の左側から右側に向かって引き出される。前記余剰光ファイバーコードは、前記スプールを回しながら、たとえば、４箇所に設けられている前後ガイド２６、２６′、側部ガイド２７、２７′内に収めることができる。また、前記余剰光ファイバーコードは、前記リールの径を大きめに設定しておくことにより、狭い二つ折りとなることがないため、前記二つ折りにした部分で伝送損失が発生しない。
【００３８】
図３におけるリール２３−３は、前記余剰光ファイバーコードを二つ折りに、その中間部が巻回された後、両者を一纏めにしてリール２４−３を巻回し、ガイド２６の右側から左側に引き出された例である。図３におけるリール２３−４は、前記余剰光ファイバーコードを二つ折りに、その中間部が巻回された後、両者を一纏めにして前後ガイド２６の右側から左側に引き出された例である。また、図３に示されていないが、前記余剰光ファイバーコードを二つ折りに、その中間部がリール２３−４または２４−４に巻回された後、両者を一纏めにしてフランジ２６の右側から左側に引き出すこともできる。前記引き出された余剰光ファイバーコード２８は、ラックの左右対照に引き出されるため、見た目が綺麗だけでなく、保守も容易にできる。前記余剰光ファイバーコードは、前記リールに伝送損失が発生しないように各種巻回方法が考えられる。
【００３９】
前記リール２３、２４の径は、少なくとも３ｃｍ以上、好ましくは６ｃｍ以上にすることが望ましい。前記リール２３、２４の直径は、６ｃｍ以上とする場合、前記光ファイバーパネルと前記ネットワーク機器の接続の間に伝送損失をなくすことが可能である。
【００４０】
前記スプールの径およびガイドは、前記余剰光ファイバーコードを前記リールに巻回した後の部分を極端に曲げることなく、緩やかに曲げることができるだけでなく、正面から見て左方向または右方向に振り分けることができるように、所定の幅を有するように、前記スプールから一体に突出するような形状に構成されている。
【００４１】
本発明の光ファイバーコードストレージは、余剰光ファイバーコードの長さにより、リールの前後方向等の使用、巻回回数等を任意に変えることができる。
【００４２】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、ラック、ラックの棚の配置、ネットワーク機器の種類、光ファイバーコードの配置等は、任意に変更できることはいうまでもないことである。また、本発明のスプールおよびシャーシの形状は、本発明の本質以外の部分を変更できることはいうまでもないことである。
【符号の説明】
【００４３】
１１・・・ラック
１２・・・光ファイバーパネル
１３、１３′・・・光ファイバーコード
１３１、１３１′・・・光ファイバーコード
１４・・・光ファイバーストレージパネル
１５・・・ネットワーク機器
２１・・・スプール
２２・・・水平基板
２３・・・リール
２３１・・・巻き芯
２３２・・・フランジ
２４・・・リール
２４１・・・巻き芯
２４２・・・フランジ
２５、２５′・・・取付手段
２６、２６′・・・前後ガイド
２７、２７′・・・側部ガイド
２８・・・コーナーガイド
３１・・・シャーシ
【図１】
0005669061.tif 000002
【図２】
0005669061.tif 000003
【図３】
0005669061.tif 000004
【図４】
0005669061.tif 000005